(57)【要約】【課題】  余分な部品を追加することなくファンユニットとファンホルダーとの相互間に振動や共振の原因とすクリアランスが発生することを防ぐ。【解決手段】  ファンユニット１は、シャーシの立上り壁１００にビス止めしたファンホルダー２にビス止めしてある。シャーシの立上り壁１００とファンホルダー２とにより前後方向で挟持されているファンユニット２を、左右のアーム部２３，２４でなる保持体Ａに嵌合する。保持体Ａが挟持手段Ｂを備える。挟持手段Ｂは、左右のアーム部２３，２４の内面のリブ２７，２８と、一方側のアーム部２３のリブ２７の形成領域を片持ち舌片状に切り抜くことによって形成されたばね片２９とを備える。ばね片２９の弾性復帰力を利用して一方側のアーム部２３のリブ２７と他方側のアーム部２４のリブ２８とによってファンユニット１の枠体１１を弾圧状態で挟持させる。【選択図】        図１
2007073612.tif 000002
【特許請求の範囲】
【請求項１】
送風ファンを正面視矩形の枠体に取り付けてなるファンユニットが、電気機器のシャーシにビス止めされたファンホルダーにビス止めされている冷却ファンユニット取付構造において、
電気機器のリアパネルとしての上記シャーシと上記ファンホルダーの前板部とによって挟持されている上記ファンユニットが樹脂成形体でなる上記ファンホルダーの保持体に嵌合され、その保持体が、上記ファンホルダーの前板部から後方へ延び出た一対のアーム部でなり、これらのアーム部に具備された平板状の取付部を上記シャーシに重ね合わせてビス止めすることにより上記ファンホルダーが当該シャーシにビス止めされ、かつ、そのアーム部の曲り剛性が補強リブによって高められていると共に、その保持体に、上記ファンユニットの枠体を弾圧状態で挟持する挟持手段が備わり、この挟持手段が、一対の上記アーム部のそれぞれの内面に形成されて上記ファンユニットの枠体に当接する前後方向に伸びる複数状の平行なリブと、一方側の上記アーム部のリブの形成領域を片持ち舌片状に切り抜くことによって形成されたばね片とを備え、そのばね片の弾性復帰力を利用して一方側の上記アーム部のリブと他方側の上記アーム部のリブとによって上記ファンユニットの枠体を弾圧状態で挟持させており、
一対の上記アーム部のそれぞれの内面に形成されている複数状のリブが、それらのアーム部の相互間に上記ファンユニットを後方から前方に向けて嵌め込んでいくときに、上記ばね片を外側へ弾性変形させながらそのファンユニットの枠体を複数状の当該リブに乗り上がらせる傾斜したガイド部を備えていることを特徴とする冷却ファンユニット取付構造。
【請求項２】
送風ファンを正面視矩形の枠体に取り付けてなるファンユニットが、電気機器のシャーシにビス止めされたファンホルダーにビス止めされている冷却ファンユニット取付構造において、
上記シャーシと上記ファンホルダーの前板部とによって挟持されている上記ファンユニットが樹脂成形体でなる上記ファンホルダーの保持体に嵌合され、その保持体に、上記ファンユニットの枠体を弾圧状態で挟持する挟持手段が備わっていることを特徴とする冷却ファンユニット取付構造。
【請求項３】
上記保持体が、上記ファンホルダーの前板部から後方へ延び出た一対のアーム部でなり、これらのアーム部に具備された平板状の取付部を上記シャーシに重ね合わせてビス止めすることにより上記ファンホルダーが当該シャーシにビス止めされていると共に、そのアーム部の曲り剛性が補強リブによって高められている請求項２に記載した冷却ファンユニット取付構造。
【請求項４】
上記挟持手段が、一対の上記アーム部のそれぞれの内面に形成されて上記ファンユニットの枠体に当接する前後方向に伸びる複数状のリブと、一方側の上記アーム部のリブの形成領域を片持ち舌片状に切り抜くことによって形成されたばね片とを備え、そのばね片の弾性復帰力を利用して一方側の上記アーム部のリブと他方側の上記アーム部のリブとによって上記ファンユニットの枠体を弾圧状態で挟持させている冷却ファンユニット取付構造。
【発明の詳細な説明】
【技術分野】
【０００１】
本発明は、冷却ファンユニット取付構造、特に、電気機器のシャーシにビス止めされたファンホルダーにファンユニットがビス止めされている冷却ファンユニット取付構造に関する。
【背景技術】
【０００２】
発熱を伴う電気電子部品が内蔵されているＤＶＤやＨＤＤを備えた電気機器では、電気電子部品の発熱による性能低下などの悪影響を防ぐためにキャビネットの内部で冷却風を流通させてその発熱を抑制していて、一般的には、冷却風を生起させるためのファンユニットが、キャビネットのリアパネルなどを形成しているシャーシに取り付けられている。
【０００３】
また、ファンユニットの取付箇所には、その送風ファンの回転によって起きる振動や共振に起因する騒音を防ぐための対策を講じることがある（たとえば、特許文献１、特許文献２、特許文献３参照）。このうち、特許文献１によって提案されているものは、送風ファンを装備しているファンフレームとそのファンフレームを保持して電子機器のフレームに取り付けられるケースとの間に弾性部材を挾み込むというものである。また、特許文献２によって提案されているものは、ファンモータを取り付けたブラケットの脚部の取付フランジの曲り角度に工夫を講じてその取付フランジにばね性を付与し、かつ、その取付フランジを基台にビス止めするというものである。さらに、特許文献３によって提案されているものは、送風ファンの駆動により発生する振動がヒートシンクに伝わって騒音を発生することを抑制するための対策として、送風ファンとヒートシンクとの間に弾性を有する薄板平板の取付板を挾み込むというものである。
【特許文献１】特開平１１−６８３６４号公報
【特許文献２】特開平１１−１９１９４１号公報
【特許文献３】特開平１１−８７９６２号公報
【発明の開示】
【発明が解決しようとする課題】
【０００４】
しかしながら、特許文献１や特許文献３によって提案されている対策では弾性部材又は弾性を有する薄板平板の取付板が余分に必要になり、それだけ部品点数が増えて部品コストが高くなるだけでなく、組立工数も増えるという問題がある。また、特許文献２によって提案されている対策では、ファンホルダーとしてのブラケットの脚部の取付フランジの曲り角度に工夫を講じてその取付フランジにばね性を付与するものてあるために、そのブラケットを板金製とすることが不可欠であり、ファンホルダーを樹脂成形体で構成するものについては適用することができない。
【０００５】
本発明は以上の状況の下でなされたものであり、電気機器のシャーシにビス止めされたファンホルダーにファンユニットをビス止めするという冷却ファンユニット取付構造を採用する場合に、ファンホルダーに樹脂成形体を用いることができ、しかも、余分な部品を追加することなくファンユニットとファンホルダーとの相互間に振動や共振の原因とすクリアランスが発生することを防ぐことにより、送風ファンの回転に伴って発生する振動や共振によって騒音が発生するという事態を抑制することの可能な冷却ファンユニット取付構造を提供することを目的とする。
【課題を解決するための手段】
【０００６】
本発明に係る冷却ファンユニット取付構造は、送風ファンを正面視矩形の枠体に取り付けてなるファンユニットが、電気機器のシャーシにビス止めされたファンホルダーにビス止めされている冷却ファンユニット取付構造において、上記シャーシと上記ファンホルダーの前板部とによって挟持されている上記ファンユニットが樹脂成形体でなる上記ファンホルダーの保持体に嵌合され、その保持体に、上記ファンユニットの枠体を弾圧状態で挟持する挟持手段が備わっている、というものである。
【０００７】
この構成であれば、シャーシとファンホルダーの前板部とによって挟持されているファンユニットがそのファンホルダーにビス止めされていること、そのファンユニットがファンホルダーの保持体に具備されている挟持手段によって弾圧されていること、ファンホルダーがシャーシにビス止めされていることにより、ファンユニットが強固にかつ動かないようにシャーシに取り付けられた状態になっているために、送風ファンの回転による振動や共振に起因する騒音の発生が抑制される。特に、ファンホルダーが保持体の挟持手段によって弾圧されているために、保持体に嵌合されているファンホルダーのがたつきを許容するクリアラスが完全に解消されているために、上記した振動や共振に起因する騒音の発生が抑制される。また、挟持手段は上記保持体に備わっているために、弾性部材などの余分な別部品を用いてその挟持手段を構成する必要がない。
【０００８】
本発明では、上記保持体が、上記ファンホルダーの前板部から後方へ延び出た一対のアーム部でなり、これらのアーム部に具備された平板状の取付部を上記シャーシに重ね合わせてビス止めすることにより上記ファンホルダーが当該シャーシにビス止めされていると共に、そのアーム部の曲り剛性が補強リブによって高められていることが望ましい。これによれば、保持体を構成している一対のアーム部が補強リブによって補強されてその曲り剛性が高められていて、そのように増強されたアーム部の取付部がシャーシにビス止めされているために、アーム部の振動がシャーシによって効果的に抑制されるという作用が奏される。
【０００９】
本発明では、上記挟持手段が、一対の上記アーム部のそれぞれの内面に形成されて上記ファンユニットの枠体に当接する前後方向に伸びる複数状のリブと、一方側の上記アーム部のリブの形成領域を片持ち舌片状に切り抜くことによって形成されたばね片とを備え、そのばね片の弾性復帰力を利用して一方側の上記アーム部のリブと他方側の上記アーム部のリブとによって上記ファンユニットの枠体を弾圧状態で挟持させている、という構成を採用することが可能である。この構成であれば、樹脂成形体でなるファンホルダーの成形時に同時に挟持手段を一体成形することが可能である。
【００１０】
本発明に係る冷却ファンユニット取付構造は、送風ファンを正面視矩形の枠体に取り付けてなるファンユニットが、電気機器のシャーシにビス止めされたファンホルダーにビス止めされている冷却ファンユニット取付構造において、電気機器のリアパネルとしての上記シャーシと上記ファンホルダーの前板部とによって挟持されている上記ファンユニットが樹脂成形体でなる上記ファンホルダーの保持体に嵌合され、その保持体が、上記ファンホルダーの前板部から後方へ延び出た一対のアーム部でなり、これらのアーム部に具備された平板状の取付部を上記シャーシに重ね合わせてビス止めすることにより上記ファンホルダーが当該シャーシにビス止めされ、かつ、そのアーム部の曲り剛性が補強リブによって高められていると共に、その保持体に、上記ファンユニットの枠体を弾圧状態で挟持する挟持手段が備わり、この挟持手段が、一対の上記アーム部のそれぞれの内面に形成されて上記ファンユニットの枠体に当接する前後方向に伸びる複数状の平行なリブと、一方側の上記アーム部のリブの形成領域を片持ち舌片状に切り抜くことによって形成されたばね片とを備え、そのばね片の弾性復帰力を利用して一方側の上記アーム部のリブと他方側の上記アーム部のリブとによって上記ファンユニットの枠体を弾圧状態で挟持させており、一対の上記アーム部のそれぞれの内面に形成されている複数状のリブが、それらのアーム部の相互間に上記ファンユニットを後方から前方に向けて嵌め込んでいくときに、上記ばね片を外側へ弾性変形させながらそのファンユニットの枠体を複数状の当該リブに乗り上がらせる傾斜したガイド部を備えている、という構成を採用することによっていっそう具体化される。この発明の作用などについては、後述する実施形態を参照して詳細に説明する。
【発明の効果】
【００１１】
以上のように、本発明によれば、電気機器のシャーシにビス止めされたファンホルダーにファンユニットをビス止めするという冷却ファンユニット取付構造を採用する場合に、ファンホルダーに樹脂成形体を用いることができ、しかも、余分な部品を追加することなく、ファンユニットががたつきなくファンホルダーに保持されているので、送風ファンの回転に伴って発生する振動や共振によって騒音が発生するという事態を抑制することが可能になる。したがって、騒音の少ない電気機器をユーザに安価に提供することができることと併せて、ユーザ側では音楽や画像を騒音によって煩わされずに楽しむことができるようになる。
【発明を実施するための最良の形態】
【００１２】
図１は本発明の実施形態に係る冷却ファンユニット取付構造の概略正面図、図２は同概略平面図、図３は振動吸収作用の説明図、図４はファンホルダーの概略斜視図、図５は図４のＶ−Ｖ線に沿う部分の断面図、図６はファンホルダーの概略平面図である。
【００１３】
図１又は図２に示したように、この実施形態の冷却ファンユニット取付構造では、電気機器のキャビネットを構成しているリアパネルとしてのシャーシの立上り壁１００に、ファンユニット１が取り付けられたファンホルダー２をビス止めしてある。
【００１４】
図４〜図６を参照してファンホルダー２の具体的構成を説明する。このファンホルダー２には樹脂成形体が用いられていて、正面視矩形の前板部２１と、この前板部２１に開設されている通風口２２と、前板部２１の左右の２箇所からその後方に延び出た一対のアーム部２３，２４とを備えている。そして、前板部２１の４つのコーナ部のうち、対角方向に位置する２つのコーナ部に位置決め突起２５，２５が備わっているのに対し、他の対角方向に位置する２つのコーナ部に取付ビスの締付け孔２６ａを有するボス２６が備わっている。また、一対のアーム部２３，２４のそれぞれの後端には、縦長矩形の平板状の取付部２３ａ，２４ａが備わっていて、それらの取付部２３ａ，２４ａに位置決め突起２３ｂ，２４ｂと取付ビスの締付け孔２３ｃ，２４ｃとが備わっている。さらに、一対のアーム部２３，２４のそれぞれの内面には、上下方向に並んだ複数条（図例では４条）の平行なリブ２７，２８がそなわっていて、それらの各リブ２７，２８には、前上がりに傾斜したガイド部２７ａ，２８ａが具備されている。そして、一方側のアーム部２３のリブ２７の形成領域は、その周囲をコ字形に切り抜くことによって形成された片持ち状のばね片２９として形成されている。この実施形態では、上記アーム部２３，２４のそれぞれにブラケット状の補強リブ２３ｄ，２４ｄを追加することによって、それらのアーム部２３，２４に容易に曲がったり撓んだりすることのない大きな曲り剛性を付与してある。ここで、一対のアーム部２３，２４は、後述するファンユニット１が嵌合される保持体Ａを構成し、リブ２７，２８とばね片２９とが、ファンユニット１を弾圧状態で挟持してそのファンユニット１のがたつきに起因する振動や共振を阻止する挟持手段Ｂを構成している。
【００１５】
上記したファンホルダー２は、ファンユニット１を装着した後でシャーシの立上り壁１００にビス止めされる。ファンホルダー２にファンユニット１を装着するときは、最初の段階でファンユニット１を一対のアーム部２３，２４によって構成されている保持体Ａに嵌合することが行われる。この場合、保持体Ａにファンユニット１を後方から前方に向けて嵌合していくと、ファンユニット１の枠体１１が、ばね片２９を外側へ弾性変形させながら一対のアーム部２３，２４のリブ２７，２８に備わっているガイド部２７ａ，２８ａを滑ってそれらのリブ２７，２８に乗り上がる。そして、ファンユニット１をファンホルダー２の前板部２１に当接する位置まで押し込むことによって、図１のように、その枠体１１の位置決め孔１３，１３にファンホルダー１の位置決め突起２５，２５を嵌め込んで両者を位置決めし、その状態で、図示していない取付ビスをファンユニット１の枠体１１のビス挿通孔１４，１４に挿入し、その取付ビスを前板部２１の締付け孔２６ａ，２６ａにねじ込んで締め付ける（図４参照）。
【００１６】
こうしてファンユニット１が取り付けられたファンホルダー２を、次に、シャーシの立上り壁１００にビス止めする。このときの手順は、ファンホルダー２の取付部２３ａ，２４ａの位置決め突起２３ｂ，２４ｂを立上り壁１００の位置決め孔に嵌め込んでファンホルダー２を位置決めした状態で、立上り壁１００のビス挿通孔に挿入した取付ビスａ，ａを取付部２３ａ，２４ａの締付け孔２３ｃ，２４ｃにねじ込んで締め付ける（図４参照）。
【００１７】
以上説明した冷却ファンユニット取付構造によれば、ファンユニット１が、シャーシの立上り壁１００とファンホルダー２の前板部２１とによって強固に挟持され、しかも、ファンユニット１はファンホルダー２の前板部２１にビス止めされているために、ファンユニット１の送風ファン１２が回転しても、ファンユニット１がファンホルダー２に対してがたついたり振動したりすることはない。特に、この実施形態では、図３に示したアーム部２３のばね片２９のばね力Ｆによって、挟持手段Ｂを形成している左右のリブ２７，２８がファンユニット１の枠体１１を横方向で挟み付けているために、ファンユニット１と左右のアーム部２３，２４との間に振動や共振の原因となる隙間（クリアランス）が生じない。そのため、そのようなクリアランスに起因するファンユニット１の振動や共振によって騒音の発生する余地がない。また、ファンホルダー２のアーム部２３，２４に設けられている取付部２３ａ，２４ａがシャーシの立上り壁１００にビス止めされていることに加えて、アーム部２３，２４には補強リブ２３ｄ，２４ｄによって大きな曲り剛性が付与されているので、送風ファン１２が回転しても、ファンホルダー２がシャーシに対してがたついたり振動したりすることが抑制される。したがって、送風ファンが回転することによって発生する振動や共振に伴う騒音の発生が抑えられる。
【図面の簡単な説明】
【００１８】
【図１】本発明の実施形態に係る冷却ファンユニット取付構造の概略正面図である。
【図２】同概略平面図である。
【図３】ばね片の作用を示した説明図である。
【図４】ファンホルダーの概略斜視図である。
【図５】図４のＶ−Ｖ線に沿う部分の断面図である。
【図６】ファンホルダーの概略平面図である。
【符号の説明】
【００１９】
Ａ  保持体
Ｂ  挟持手段
１  ファンユニット
２  ファンホルダー
１１  枠体
１２  送風ファン
２１  ファンホルダーの前板部
２３，２４  アーム部
２３ａ，２４ａ  取付部
２３ｄ，２４ｄ  補強リブ
２７，２８  リブ
２７ａ，２８ａ  ガイド部
２９  ばね片
１００  シャーシの立上り壁（シャーシ）
【図１】
2007073612.tif 000003
【図２】
2007073612.tif 000004
【図３】
2007073612.tif 000005
【図４】
2007073612.tif 000006
【図５】
2007073612.tif 000007
【図６】
2007073612.tif 000008